(57)【要約】      （修正有）【課題】水平フラップの回動を制御するステッピングモータを電装品箱側に配設してモジュール化ないしユニット化し、組立性を向上させる。【解決手段】電装品箱１１の下部に運転表示ランプ箱を配設し、この運転表示ランプ箱の内側に設けた隔壁２３の側面にモータ取付部２４を設ける。このモータ取付部２４は、ステッピングモータ２５を受ける略円弧状の支持片３７と、この支持片３７の両側の近傍に設けた一対のボス部とで構成している。ステッピングモータ２５を支持片３７に支持し、ネジ４４を取付片４３を介してネジ４４にてステッピングモータ２５を固定する。また、モータ取付部２４の近傍には略Ｕ字状で一対の固定片５０、５１が設けられていて、この固定片５０、５１に圧入嵌合する一対の凸部を本体ケーシングの底フレームに突設している。【選択図】図３
2008082686.tif 000002
【特許請求の範囲】
【請求項１】
空気を吸い込む吸込口（４）と、この吸込口（４）から吸い込んだ空気を熱交換器（８）で熱交換し、この熱交換した空気をクロスフローファンの作用にて外部へ吹き出す吹出口（６）とを有する本体ケーシング（３）と、前記本体ケーシング（３）に配設されると共に、電気的制御を行なう電気部品を予め組み付けた電装品箱（１１）と、前記本体ケーシング（３）の吹出口（６）の開口部に配設されて、風向きを変更させる水平フラップ（７）と、前記水平フラップ（７）を駆動するモータ（２５）とを備えている空気調和機において、前記モータ（２５）を前記電装品箱（１１）に予め組み付けておき、該電装品箱（１１）をモジュール化していることを特徴とする空気調和機。
【請求項２】
前記モータ（２５）の両側の近傍に前記電装品箱（１１）と本体ケーシング（３）との固定手段を設けていることを特徴とする請求項１に記載の空気調和機。
【請求項３】
前記電装品箱（１１）と本体ケーシング（３）の底フレーム（５）との固定手段が、略Ｕ字状で一方に開口した一対の固定片（５０）（５１）と、前記固定片（５０）（５１）にそれぞれ圧入嵌合する一対の凸部（５２）（５３）とより成ることを特徴とする請求項２に記載の空気調和機。
【請求項４】
運転状態を表示する運転表示ランプ箱（１２）を、さらに前記電装品箱（１１）に予め組み付けておくことを特徴とする請求項１〜請求項３のいずれかに記載の空気調和機。
【発明の詳細な説明】
【技術分野】
【０００１】
この発明は、風向き変更用の水平フラップを駆動するモータを備えた空気調和機に関するものである。
【背景技術】
【０００２】
空気調和機の室内ユニット内の電気的制御を行う電気部品は、予め電装品箱に組み付けておいてから、該室内ユニットに組み付けるのが、手数を要さず、組立作業を効率的に行える。吸込ルーバーを回転駆動させるモータを、予め電装品箱に組み付けたものとして、例えば下記に示す特許文献１を挙げることができる。
【０００３】
この特許文献１では、ルーバー駆動部が、駆動軸を備えた駆動モータと、同駆動モータの駆動軸に取り付けられてそのトルクを連結ロッドの前後動に変換し、前記駆動モータのトルクを補助するバネを設けたアームとで構成されている。そして、電装品箱にネジ孔を設けるとともに、前記駆動モータに備えた脚部の挿通孔を挿通したねじを前記ネジ孔に螺着して、前記駆動モータを電装品箱に固定したものである。これにより、部品点数を削減するとともに、吸込ルーバーで上面の吸込口を正確に回動できるようにしている。
【０００４】
ところで、空気の吹出口の開口部には、風向き変更用の水平フラップが回動自在に設けられていて、この水平フラップの一方にステッピングモータが配設されている。このステッピングモータにより水平フラップが回動制御されるようになっている。
【０００５】
現在のところ、ステッピングモータは電装品箱には固定されずモジュール化されていない。それは、ステッピングモータは強固に固定されないと羽根の位置がずれて不具合を発生させることになるからである。そのため、ステッピングモータを電装品箱とは別個に室内ユニット内に組み付けていて、組立ラインの工数増加の要因となっていた。
【特許文献１】特開２００２−３１３６５号公報
【発明の開示】
【発明が解決しようとする課題】
【０００６】
そこで上記特許文献１に開示された技術を利用して、ステッピングモータを電装品箱に予め組み付けておくことを着想した。しかしながら、上記特許文献１では、モータの取り付け部分に剛性が得にくく、また、連結ロッドとアームとの取り付け精度が得にくいという問題を有しており、これをステッピングモータの組み付けにそのまま適用することは不可能である。
【０００７】
この発明は上述の問題点に鑑みて提供したものであって、少なくとも以下の目的を備えた空気調和機を提供するものである。
【０００８】
（１）水平フラップを回動制御するモータを電装品箱側に配設してモジュール化ないしユニット化し、組立性を向上させること。
（２）モータの固定部分の強化を図ること。
（３）モータを本体側に対して位置決めができて、モータの取り付け精度を上げ、同時に剛性を持たせることで、水平フラップの回動制御に支障を与えないようにすること。
【課題を解決するための手段】
【０００９】
そこで、請求項１に記載の空気調和機では、空気を吸い込む吸込口４と、この吸込口４から吸い込んだ空気を熱交換器８で熱交換し、この熱交換した空気をクロスフローファンの作用にて外部へ吹き出す吹出口６とを有する本体ケーシング３と、前記本体ケーシング３に配設されると共に、電気的制御を行なう電気部品を予め組み付けた電装品箱１１と、前記本体ケーシング３の吹出口６の開口部に配設されて、風向きを変更させる水平フラップ７と、前記水平フラップ７を駆動するモータ２５とを備えている空気調和機において、前記モータ２５を前記電装品箱１１に予め組み付けておき、該電装品箱１１をモジュール化していることを特徴としている。また、請求項４に記載の空気調和機では、運転状態を表示する運転表示ランプ箱１２を、さらに前記電装品箱１１に予め組み付けておくことを特徴としている。
【００１０】
請求項２に記載の空気調和機では、前記モータ２５の両側の近傍に前記電装品箱１１と本体ケーシング３との固定手段を設けていることを特徴としている。
【００１１】
請求項３に記載の空気調和機では、前記電装品箱１１と本体ケーシング３の底フレーム５との固定手段が、略Ｕ字状で一方に開口した一対の固定片５０、５１と、前記固定片５０、５１にそれぞれ圧入嵌合する一対の凸部５２、５３とより成ることを特徴としている。
【発明の効果】
【００１２】
本発明の請求項１に記載の空気調和機によれば、前記モータ２５を前記電装品箱１１に予め組み付けておき、該電装品箱１１をモジュール化しているので、このモジュール化した電装品箱１１を単に本体ケーシング３側に取り付けるだけとなり、そのため、室内ユニット１の組み立ての工数を削減でき、組立性を一層向上させることができる。また、請求項４に記載の空気調和機では、運転表示ランプ箱１２を前記電装品箱１１に予め組み付けておくので、組立性をより一層向上させることができる。
【００１３】
請求項２に記載の空気調和機によれば、前記モータ２５の両側の近傍に前記電装品箱１１と本体ケーシング３との固定手段を設けているので、モータ２５は本体ケーシング３側に対して取り付け精度を上げることができ、同時にモータ２５は剛性を伴って強固に固定されることになり、そのため、モータ２５は位置ずれを起こすことはなく、従来とは異なり、水平フラップ７の羽根の位置がずれて不具合を発生させることもない。
【００１４】
請求項３に記載の空気調和機によれば、前記電装品箱１１と本体ケーシング３の底フレーム５との固定手段が、略Ｕ字状で一方に開口した一対の固定片５０、５１と、前記固定片５０、５１にそれぞれ圧入嵌合する一対の凸部５２、５３とより成るので、電装品箱１１を底フレーム５に対して移動させて、一対の固定片５０、５１の開口部から凸部５２、５３を嵌め込んでいき、凸部５２、５３が固定片５０、５１の奥部まで嵌まり込むと、電装品箱１１は底フレーム５に取り付け固定されることになる。これにより電装品箱１１を底フレーム５に簡単に固定することができ、組立性を一層向上させることができる。
【発明を実施するための最良の形態】
【００１５】
以下、本発明の実施の形態について図面を参照しつつ詳細に説明する。図１は空気調和機の室内ユニット１の正面図を示し、図２は前面カバー２を外した状態の正面図を示している。
【００１６】
室内ユニット１の外殻を構成している本体ケーシング３の上面側には空気を吸い込む吸込口４が設けられており、また本体ケーシング３の底フレーム５の前面底部に横方向に長い吹出口６が設けられている。この吹出口６の開口部に回動自在な水平フラップ７が配設されており、この水平フラップ７は後述するステッピングモータにて回動される。また、本体ケーシング３内には熱交換を行なう熱交換器８や、クロスフローファン（図示せず）やこのクロスフローファンを駆動するファンモータ等が配設されている。
【００１７】
室内ユニット１の右側の端部には、該室内ユニット１の電気的制御を行なう電気部品を納装している電装品箱１１が上記底フレーム５に取り付けられるようになっており、また、電装品箱１１の下部であって、水平フラップ７の右方に位置する箇所にはランプの点灯、点滅、消灯などにより運転状態を表示する運転表示ランプ箱１２が取り付けられる。前面カバー２の下部右側には表示部１４が設けられていて、この表示部１４から上記運転表示ランプ箱１２の運転表ランプ１３が露出している。
【００１８】
図３は電装品箱１１の側面図を示し、図４は正面から見た電装品箱１１の断面図を示し、また、図５は別の位置において切断した電装品箱１１の断面図を示している。図５に示すように、電装品箱１１の上部におけるケース１５の内部には、プリント基板１６が配置されていて、このプリント基板１６には各種の電気部品１７が実装されている。また、ケース１５の側面にはフタ１８が開閉自在に設けてある。
【００１９】
図６は図３のＡ−Ａ断面図を、図７は図４のＢ−Ｂ断面図をそれぞれ示しており、電装品箱１１における合成樹脂製ベース２１の下部には片状の運転表示ランプ箱取付部２２が一体に形成されている（図４、図５及び図８参照）。また、図４、図５、図８及び図９に示すように、運転表示ランプ箱取付部２２の左方にはベース２１と一体に隔壁２３を介してステッピングモータ２５（図３参照）を取り付けるためのモータ取付部２４が形成されている。
【００２０】
運転表示ランプ箱取付部２２は図８に示すように、傾斜して形成されていて、この運転表示ランプ箱取付部２２の下面側には図９に示すように、略コ字型の弾性部２６が設けられている。また、図７に示すように、弾性部２６と略同一平面上であって、運転表示ランプ箱取付部２２の上下に略凹状の係止部２７と、この係止部２７に対向した位置に舌片２８がベース２１と一体に形成されている。そして、この舌片２８には係止孔３１が穿孔されており、運転表示ランプ箱１２の一方の係止片３２を運転表示ランプ箱取付部２２の係止部２７に係止すると共に、上記係止孔３１に運転表示ランプ箱取付部２２の他方に形成した弾性を有する爪片３３を挿入係止することで、運転表示ランプ箱１２が電装品箱１１の運転表示ランプ箱取付部２２に取り付けられるようになっている。
【００２１】
上記運転表示ランプ箱１２には、図６に示すように、発光ダイオードや他の電気部品等の部品３４を実装したプリント基板３５が配設されており、このプリント基板３５に実装した発光ダイオードの光が他に漏れないように、運転表示ランプ箱１２の下面側を上記弾性部２６に密接ないし圧接して取り付けている。すなわち、図１に示すように、室内ユニット１に前面カバー２を取付けた状態においては、運転表示ランプ箱１２を、前面カバー２の下部右側には表示部１４から上記運転表示ランプ箱１２の運転表ランプ１３が露出しているが、この際、運転表示ランプ１３の光が運転表示ランプ箱１２から他の部分へと漏れるのを防止するため、運転表示ランプ箱１２を、上記弾性部２６の弾性力によって、前面カバー２に押し付けておくのである。
【００２２】
図６及び図８に示すように、ベース２１の運転表示ランプ箱取付部２２の縁部より上記隔壁２３が一体に垂設され、この隔壁２３の外側に上述したように運転表示ランプ箱１２が配設され、さらに、この隔壁２３の側面に形成したモータ取付部２４を構成している略円弧状の支持片３７が一体に内側方に向けて形成されている。図８に示すように、上面側を開拡した略円弧状の支持片３７はステッピングモータ２５の外殻に合わせた形状となっており、ステッピングモータ２５を支持し易くしている。また、支持片３７の両側には略円柱状のボス部３８、３９が一体に形成されていて、一方のボス部３８の端面には突起４０が一体に突設されている。他方のボス部３９には端面側に開口したねじ穴４１が螺刻されている。なお、支持片３７及び両側のボス部３８、３９にてモータ取付部２４を構成している。
【００２３】
図３に示すように、ステッピングモータ２５の一方側には円形状の取付片４２が形成されており、この取付片４２を上記ボス部３８の突起４０の周囲に凹設した溝４５（図４参照）に嵌め込むと共に、ステッピングモータ２５の他方側に形成した取付片４３を介してネジ４４をボス部３９のねじ穴４１に螺着することで、ステッピングモータ２５がモータ取付部２４にて強固に固定される。なお、ステッピングモータ２５の出力軸４６（図３参照）に水平フラップ７の軸が連結されて、ステッピングモータ２５の出力軸４６の正転、逆転により水平フラップ７の羽根を回動自在に駆動する。
【００２４】
また、図３及び図８に示すように、モータ取付部２４の両側の近傍には略Ｕ字状の一対の固定片５０、５１が電装品箱１１の隔壁２３の側面より一体に突設されている。この固定片５０、５１は前面側が開放されており、電装品箱１１を後面側から本体ケーシング３の前方へ組み込むことで、底フレーム５に電装品箱１１が簡単に取り付け固定されるようになっている。
【００２５】
図１０及び図１０のＡ部を拡大した図１１に示すように、底フレーム５の右側の端面には上記固定片５０、５１に嵌合する一対の凸部５２、５３が一体に突設されている。この底フレーム５の一対の凸部５２、５３が電装品箱１１の固定片５０、５１にそれぞれ圧入嵌合することで、電装品箱１１が底フレーム５に強固に取り付けられる。すなわち、図１２の矢印に示すように、電装品箱１１を底フレーム５に対して前方へ移動させて、電装品箱１１の一対の固定片５０、５１の開口部から底フレーム５の凸部５２、５３に嵌め込んでいき、凸部５２、５３が固定片５０、５１の奥部まで嵌まり込むと、電装品箱１１は底フレーム５に完全に取り付け固定されることになる。これにより電装品箱１１を底フレーム５に簡単に固定することができ、組立性を一層向上させることができる。図１３がこのときの状態を示している。
【００２６】
なお、図１０において、底フレーム５の吹出口６の開口部には水平方向に風向きを変えるための垂直フラップ６０が所定の間隔毎に設けられ、また、前記水平フラップ７を支持するための孔９が設けられている。水平フラップ７の一方の端部にはステッピングモータ２５の出力軸４６と連結される軸部１０（図１３参照）が設けられていて、水平フラップ７の他方の端部及び中間部分には前記軸９と連結される軸部（図示せず）が設けられている。
【００２７】
このように本実施形態では、ステッピングモータ２５の両側の近傍に前記電装品箱１１と本体ケーシング３との固定手段として一対の固定片５０、５１を設けているので、ステッピングモータ２５は本体ケーシング３側の底フレーム５に対して取り付け精度を上げることができ、同時にステッピングモータ２５は剛性を伴って強固に固定されることになり、そのため、ステッピングモータ２５は位置ずれを起こすことはなく、従来とは異なり、水平フラップ７の羽根の位置がずれて不具合を発生させることもない。
【００２８】
また、ステッピングモータ２５を電装品箱１１側に予め組み付けおいて、モジュール化ないしユニット化した該電装品箱１１を底フレーム５に取り付けるだけなので、室内ユニット１の組み立ての工数を削減でき、組立性を一層向上させることができる。
【００２９】
また、電装品箱１１側の固定手段として奥方に開口し略Ｕ字状とした一対の固定片５０、５１であり、前記本体ケーシング３側には該本体ケーシング３を構成している底フレーム５に前記固定片５０、５１にそれぞれ圧入嵌合する一対の凸部５２、５３を突設しているので、電装品箱１１を底フレーム５に対して後方へ移動させて、電装品箱１１の一対の固定片５０、５１の開口部から底フレーム５の凸部５２、５３に嵌め込んでいき、凸部５２、５３が固定片５０、５１の奥部まで嵌まり込むと、電装品箱１１は底フレーム５に完全に取り付け固定されることになる。これにより電装品箱１１を底フレーム５に簡単に固定することができ、組立性を一層向上させることができる。
【図面の簡単な説明】
【００３０】
【図１】本発明の実施の形態における室内ユニットの正面図である。
【図２】本発明の実施の形態における前面カバーを外した状態の室内ユニットの正面図である。
【図３】本発明の実施の形態における電装品箱の拡大側面図である。
【図４】本発明の実施の形態における電装品箱の拡大正面図である。
【図５】本発明の実施の形態における電装品箱の拡大断面図である。
【図６】本発明の実施の形態における図３に示すＡ−Ａ断面図である。
【図７】本発明の実施の形態における図３に示すＢ−Ｂ断面図である。
【図８】本発明の実施の形態における電装品箱の要部斜視図である。
【図９】本発明の実施の形態における電装品箱の要部斜視図である。
【図１０】本発明の実施の形態における本体ケーシング及び電装品箱を除いた場合の室内ユニットの斜視図である。
【図１１】本発明の実施の形態における図１０のＡ部の拡大斜視図である。
【図１２】本発明の実施の形態における電装品箱を底フレームに取り付け固定する場合の説明図である。
【図１３】本発明の実施の形態における電装品箱を底フレームに取り付け固定した場合の図である。
【符号の説明】
【００３１】
１・・室内ユニット、３・・本体ケーシング、４・・吸込口、５・・底フレーム、６・・吹出口、７・・水平フラップ、８・・熱交換器、１１・・電装品箱、１２・・運転表示ランプ箱、２５・・ステッピングモータ、５０、５１・・固定片、５２、５３・・凸部
【図１】
2008082686.tif 000003
【図２】
2008082686.tif 000004
【図３】
2008082686.tif 000005
【図４】
2008082686.tif 000006
【図５】
2008082686.tif 000007
【図６】
2008082686.tif 000008
【図７】
2008082686.tif 000009
【図８】
2008082686.tif 000010
【図９】
2008082686.tif 000011
【図１０】
2008082686.tif 000012
【図１１】
2008082686.tif 000013
【図１２】
2008082686.tif 000014
【図１３】
2008082686.tif 000015